【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
結晶を含む環境制御エンクロージャであって、
前記エンクロージャ内の温度変化が前記結晶にごく僅かなストレスを与えるように、前記結晶を前記エンクロージャ内に固定するように構成される固定具と、
前記エンクロージャに光が入射し、該光が前記結晶に接するように構成された窓と、
前記窓及び前記エンクロージャの間に形成されたシールと
を含むエンクロージャ。
【請求項２】
前記エンクロージャからのパージガスのために構成された排気口を更に含む、請求項１に記載のエンクロージャ。
【請求項３】
前記パージガスは不活性ガスを含む、請求項２に記載のエンクロージャ。
【請求項４】
前記不活性ガスの一定割合は酸素を含む、請求項３に記載のエンクロージャ。
【請求項５】
前記不活性ガスは１ｐｐｍ未満の水又は有機不純物を含む、請求項３に記載のエンクロージャ。
【請求項６】
結晶温度を周囲雰囲気より高く上昇させるように構成される加熱素子を更に含む、請求項１に記載のエンクロージャ。
【請求項７】
結晶温度を周囲雰囲気未満に低下させるように構成される冷却素子を更に含む、請求項１に記載のエンクロージャ。
【請求項８】
前記結晶がローフォーススプリングを含む前記エンクロージャ内に固定される、請求項１に記載のエンクロージャ。
【請求項９】
前記結晶に近接して配置される温度読取素子を更に含む、請求項１に記載のエンクロージャ。
【請求項１０】
前記温度読取素子は、前記結晶エンクロージャの温度を比較的一定の温度値に維持するようにフィードバックを生成する、請求項９に記載のエンクロージャ。
【請求項１１】
前記窓は前記エンクロージャに入射する光に対してブリュースター角に方向づけられる、請求項１に記載のエンクロージャ。
【請求項１２】
前記エンクロージャに結合され、前記エンクロージャから光が射出できるように構成された射出窓を更に含む、請求項１に記載のエンクロージャ。
【請求項１３】
前記窓は、石英ガラス及びフッ化カルシウムを含む一群のうちの一つから製造される、請求項１に記載のエンクロージャ。
【請求項１４】
前記エンクロージャは主位相整合軸に沿って内蔵角度を調整するように構成される、請求項１に記載のエンクロージャ。
【請求項１５】
結晶を内蔵するように構成された環境制御エンクロージャであって、
前記エンクロージャ内の温度変化が前記結晶にごく僅かなストレスを与えるように、前記結晶を前記エンクロージャ内に固定するための手段と、
前記エンクロージャに光が入射し、該光が前記結晶に接するように構成された窓と
を含むエンクロージャ。
【請求項１６】
前記エンクロージャは主位相整合軸に対して垂直な内蔵角度調整によって構成される、請求項１５に記載のエンクロージャ。
【請求項１７】
前記角度調整は、前記結晶の中心に近接する回転軸を有するゴニオメータによって行われる、請求項１６に記載のエンクロージャ。
【請求項１８】
前記入射窓を前記エンクロージャにシールするように構成される１次シールを更に含む、請求項１５に記載のエンクロージャ。
【請求項１９】
前記１次シールは、高温において低ガス放出の材料から形成されるリングを含む、請求項１８に記載のエンクロージャ。
【請求項２０】
前記第１シールと組み合わせて、前記入射窓を前記エンクロージャにシールするように構成された第２シールを更に含み、
前記第２シールは、銀、ステンレス鋼、アルミニウム、ニッケルを含む一群のうちの少なくとも一つを含む金属から形成されるリングを含む、
請求項１８に記載のエンクロージャ。
【請求項２１】
前記結晶は、周波数混合を行うように構成された非線形結晶である、請求項１５に記載のエンクロージャ。
【請求項２２】
前記結晶は、ＣＬＢＯ、ＬＢＯ、ＢＢＯ、ＫＢＢＦ、ＣＢＯ、ＫＤＰ、ＫＴＰ、ＫＤ＊Ｐ、又はＢＩＢＯを含む一群のうちの一つから形成される、請求項２１に記載のエンクロージャ。
【請求項２３】
複数の結晶を含む環境を制御するように構成されるエンクロージャであって、
温度変化の際に、前記各結晶に僅少なストレスを与えるような構成で、前記エンクロージャ内に前記複数の結晶を固定するように構成される固定具と、
光が前記エンクロージャに入り、出られるように構成された窓と
を含むエンクロージャ。
【請求項２４】
前記窓及び前記エンクロージャの間に形成されたシールを更に含む、請求項２３に記載のエンクロージャ。
【請求項２５】
第１の結晶から光を集光し、前記光を第２の結晶に近接して再度集束させるように構成された光学系を更に含む、請求項２３に記載のエンクロージャ。
【請求項２６】
前記光学系はエンクロージャ内に配置される、請求項２５に記載のエンクロージャ。
【請求項２７】
前記光学系はエンクロージャの外に配置される、請求項２５に記載のエンクロージャ。
【請求項２８】
少なくとも一つの結晶が非臨界位相整合する、請求項２３に記載のエンクロージャ。
【請求項２９】
一つの結晶が主位相整合面において調整されるように構成されている、請求項２３に記載のエンクロージャ。
【請求項３０】
前記複数の結晶が、ウォークオフ補償又は分散デルタｋ補償を含む一群のうちの少なくとも一つを行うように構成されている、請求項２３に記載のエンクロージャ。
【請求項３１】
複数の結晶を含む環境を制御するように構成されているエンクロージャであって、
金属フレームと、
取り外し可能な結晶保持具と
を含むエンクロージャ。
【手続補正２】
【補正対象書類名】明細書
【補正対象項目名】００２４
【補正方法】変更
【補正の内容】
【００２４】
図１において、ヒンジプレート１０２はフレームに含まれ、そして、ヒンジ回転ピン１０３及び調整ネジ１０４はまた、角度調整のために用いる。角度調整は、ヒンジプレート１０２を定位置に維持して機能する。固定ボルト１０５は、回転ピン１０３について回転できるようにゆるめられる。回転は、プッシュプル調整ネジ１０４を回すことで行われる。適当な位置において、固定ボルト１０５を係止する。また、図１は、窓保持プレート１０６内において、窓を含む。この窓は、反射防止コーティングされるか、又はブリュースター角に方向づけられている。これらの技術は両方とも、光透過効率を改善するために用いられうる。
【手続補正３】
【補正対象書類名】明細書
【補正対象項目名】００２５
【補正方法】変更
【補正の内容】
【００２５】
ブリュースター角でウインドウを提供するためには、窓をブリュースター角に近接して埋設することを必要とする。これを達成する１つの方法においては、窓をこの角度で支持するようにフレーム１０１を機械加工することを必要とする。そして、窓保持プレート１０６は、窓をフレームに固定する。第２の方法は、フレーム１０１及び保持プレート１０６の間に拡張部（extension）を追加するものである。この拡張部は、一端でフレーム１０１に取付けられ、他端でブリュースター角で窓を保持しうる。結晶に集束される光や、結晶から射出される光によって損傷を受けないように、窓は結晶から十分に離間して配置される。この距離は、光の波長、結晶及びハウジングへの集束状態、結晶のタイプ、窓材、窓方向、及び結晶又は窓に施されうる任意のコーティングに基づいて算出されうる。
【手続補正４】
【補正対象書類名】明細書
【補正対象項目名】００３１
【補正方法】変更
【補正の内容】
【００３１】
図４は、他の角度調整技術を示す図である。図４によれば、フレーム上部に回転ピン４０５が挿入できるように、ハウジング４０１に穴が配置される。結晶がその中心について回転するように、回転ピン４０５の中心軸を結晶４０５の中心に近接して配置する。ヒンジが回転ピン４０５と置き換わる図１の実施例に類似した技術を用いて角度調整がなされる。図４において、光は、４０２に配置される窓を通って入射し、４０４に配置される窓を経て出射しうる。あるいは、光は、４０３に配置される窓を経て入射し、４０２に配置される窓を経て出射しうる。
【手続補正５】
【補正対象書類名】明細書
【補正対象項目名】００４３
【補正方法】変更
【補正の内容】
【００４３】
結晶１００５は、凹部１００７によってセル内において支持される。結晶１００６は、フレーム１００１に挿入される台１０１３上で支持される。この台１０１３は、リングシール１０１２を使用して密閉されうる。このリングシールは、前述の実施形態における窓シールと類似する材料でありえる。加えて、ここのシールは、金属−金属接触面に対するものであるため、例えば、真空密閉に使用するメタルクラッシュワッシャなどの他の種類のシールが用いられうる。このときのシールはこれに限らない。適切に調整されるために、台１０１３は結晶１００５に対して回転されて、外側留め具１０１４を用いて適所に固定される。図５に関して記載した技術と類似の技術を用いて、両方の結晶は適当な状態に保たれうる。
【手続補正６】
【補正対象書類名】図面
【補正対象項目名】図１０
【補正方法】変更
【補正の内容】
【図１０】
2011507305.tif 000001
【手続補正７】
【補正対象書類名】図面
【補正対象項目名】図１１
【補正方法】変更
【補正の内容】
【図１１】
2011507305.tif 000002